(57)【要約】  本発明は、多重セッションをモニタリングするＰｏＣ(Ｐｕｓｈ  ｔｏ  ｔａｌｋ  ｏｖｅｒ  Ｃｅｌｌｕｌａｒ)サービスシステムであって、多重セッションの中で、サブ参加セッションメディアデータの格納を要求するＰｏＣクライアントと、前記サブ参加セッションのメディアデータを格納する格納部と、前記ＰｏＣクライアントの読み出し要求により、前記格納部に格納された前記サブ参加セッションのメディアデータを前記ＰｏＣクライアントに伝送するＰｏＣサーバと、を含むことを特徴とする。
2007533247.tif 000002
【特許請求の範囲】
【請求項１】
多重セッションをモニタリングするＰｏＣ(Ｐｕｓｈ  ｔｏ  ｔａｌｋ  ｏｖｅｒ  Ｃｅｌｌｕｌａｒ)サービスシステムであって、
多重セッションの中で、サブ参加セッションメディアデータの格納を要求するＰｏＣクライアントと、
前記サブ参加セッションのメディアデータを格納する格納部と、
前記ＰｏＣクライアントの読み出し要求により、前記格納部に格納された前記サブ参加セッションのメディアデータを前記ＰｏＣクライアントに伝送するＰｏＣサーバと、
を含むことを特徴とするシステム。
【請求項２】
前記ＰｏＣサーバは、
前記サブ参加セッションのデータをフィルタリングする管理部と、
前記データを格納するメモリ部と、
を含むことを特徴とする請求項１記載のシステム。
【請求項３】
前記ＰｏＣサーバは、前記メモリに格納されるデータを圧縮し、或いは圧縮して格納されたデータの圧縮を解除するセッションデータ管理部をさらに含むことを特徴とする請求項２記載のシステム。
【請求項４】
前記メモリ部は、サブ参加セッションのデータをセッション識別子とマッチングさせて格納することを特徴とする請求項２記載のシステム。
【請求項５】
前記サブ参加セッションのデータは、トークバースト(ｔａｌｋ  ｂｕｒｓｔ)データであることを特徴とする請求項１記載のシステム。
【請求項６】
前記メモリ部は、ＰｏＣサーバに内蔵されず、別途の装置で構成されて前記ＰｏＣサーバと連動されることを特徴とする請求項１記載のシステム。
【請求項７】
前記格納されているサブ参加セッションのデータが伝送されるときに、メイン参加セッションは、非活性化状態と終了状態のうちいずれか一つの状態であることを特徴とする請求項１記載のシステム。
【請求項８】
ＰｏＣシステムの多重セッションをモニタリングする方法であって、
ＰｏＣクライアントがＰｏＣサーバにメイン参加セッションを要求するステップと、
ＰｏＣサーバが、サブ参加セッションのデータを格納するステップと、
前記ＰｏＣクライアントが前記格納されたデータの読み出しを要求するステップと、
前記ＰｏＣサーバが格納されたサブ参加セッションのデータを読み出して前記ＰｏＣクライアントに伝送するステップと、
を有することを特徴とする方法。
【請求項９】
前記ＰｏＣクライアントは、前記ＰｏＣサーバに前記サブ参加セッションのデータを格納するように要求するステップをさらに有することを特徴とする請求項８記載の方法。
【請求項１０】
前記ＰｏＣサーバは、前記サブ参加セッションのデータをフィルタリングするステップをさらに有することを特徴とする請求項８記載の方法。
【請求項１１】
前記ＰｏＣサーバは、前記格納されるデータを圧縮し、圧縮されたデータを解除するステップをさらに有することを特徴とする請求項８記載の方法
【請求項１２】
前記メモリ部は、サブ参加セッションのデータをセッション識別子とマッチングさせて格納することを特徴とする請求項８記載の方法。
【請求項１３】
前記メイン参加セッションのデータと前記サブ参加セッションのデータは、トークバーストデータであることを特徴とする請求項８記載の方法。
【請求項１４】
前記メモリ部は、ＰｏＣサーバに内蔵されず、別途の装置で構成されて前記ＰｏＣサーバと連動されることを特徴とする請求項８記載の方法。
【請求項１５】
前記サブ参加セッションの格納されたデータが伝送されるときに、メイン参加セッションは、非活性化状態と終了状態のうちいずれか一つの状態であることを特徴とする請求項８記載の方法。
【請求項１６】
多重セッションをモニタリングするＰｏＣクライアントであって、
サブ参加セッションのデータを保存するようにＰｏＣサーバに要求し、
前記ＰｏＣサーバに前記サブ参加セッションのデータ伝送を要求し、前記データを受信することを特徴とするＰｏＣクライアント。
【請求項１７】
前記サブ参加セッションの格納されたデータが伝送されるときに、メイン参加セッションは、非活性化状態と終了状態のうちいずれか一つの状態であることを特徴とする請求項１６記載のＰｏＣクライアント。
【請求項１８】
受信されたデータは、一つの視覚データ又は聴覚データとして出力されることを特徴とする請求項１６記載のＰｏＣクライアント。
【請求項１９】
ＰｏＣシステムのＰｏＣクライアントが多重セッションをモニタリングする方法であって、
ＰｏＣクライアントがサブ参加セッションのデータを格納するようにＰｏＣサーバに要求するステップと、
前記ＰｏＣサーバに前記サブ参加セッションのデータを伝送するように要求するステップと、
前記ＰｏＣサーバが前記格納されたサブ参加セッションのデータを活性化して前記ＰｏＣクライアントに伝送するステップと、
を有することを特徴とする方法。
【請求項２０】
前記サブ参加セッションの格納されたデータが伝送されるときに、メイン参加セッションは、非活性化状態と終了状態のうちいずれか一つの状態であることを特徴とする請求項１９記載の方法。
【請求項２１】
受信されたデータは、一つの視覚データ又は聴覚データとして出力されることを特徴とする請求項１９記載の方法。
【発明の詳細な説明】
【技術分野】
【０００１】
本発明は、移動通信システム及び方法に関するもので、特に、事務用及び個人用ユーザーのために高速通信が可能なＰｏＣ(Ｐｕｓｈ  ｔｏ  ｔａｌｋ  ｏｖｅｒ  Ｃｅｌｌｕｌａｒ)サービスのためのシステム及び方法に関するものである。
【背景技術】
【０００２】
携帯電話(Ｃｅｌｌｕｌａｒ  ｐｈｏｎｅ)は、全世界的に移動通信技術の発展と通信網の拡大によって一層多様なサービスとアプリケーションが提供されている。また、ユーザーの要求事項は、単純な通話サービスに加えて、放送及びインターネットのような相互に異なるネットワーク間の接続を提供する位置情報サービス、マルチメディアサービス、ＰＴＴ(Ｐｕｓｈ  Ｔｏ  Ｔａｌｋ)サービスを含むサービスに細分化され、質的に向上したサービスに向かっている。
【０００３】
特に、ＰｏＣサービスは、ＳＩＰ(Ｓｅｓｓｉｏｎ  Ｉｎｉｔｉａｔｉｏｎ  Ｐｒｏｔｏｃｏｌ)プロトコルとＳＩＰ/ＩＰ(Ｉｎｔｅｒｎｅｔ  Ｐｒｏｔｏｃｏｌ)コアネットワークを用いて、速い通話セットアップと任意のユーザー間のアドホック(ａｄ  ｈｏｃ)ネットワーク及びグループセッションを実現するサービスである。
【０００４】
下記に、ＰｏＣシステムの一般的な構造を、図１を参照して説明する。ＰｏＣシステムは、３ＧＰＰ(３ｒｄ  Ｇｅｎｅｒａｔｉｏｎ  Ｐａｒｔｎｅｒｓｈｉｐ  Ｐｒｏｊｅｃｔ)又は３ＧＰＰ２で採択しているＩＰプロトコルに基づいたマルチメディアサービスシステムの機能とＳＩＰ/ＩＰコアネットワークを下部構造として使用する。
【０００５】
図１を参照すると、ＰｏＣクライアント１０は、移動端末機に内蔵され、或いは別途の装置で構成されるサービス要求元端末(ｓｅｒｖｉｃｅ  ｒｅｑｕｅｓｔｏｒ)で、無線接続網２０を通じてＳＩＰ及びＩＰマルチメディアを支援するコアネットワークであるＳＩＰ/ＩＰコアネットワーク３０に接続される。ＳＩＰ/ＩＰコアネットワーク３０は、ＰｏＣサービスを支援するためにＰｏＣサーバ６０、グループリスト及び管理システム(Ｇｒｏｕｐ  Ｌｉｓｔ  ａｎｄ  Ｍａｎａｇｅｍｅｎｔ  Ｓｙｓｔｅｍ：以下、“ＧＬＭＳ”とする)５０、及びプレゼンスサーバ(ｐｒｅｓｅｎｃｅ  ｓｅｒｖｅｒ)７０に接続される。
【０００６】
ＰｏＣサーバ６０は、ＰｏＣセッションを維持及び管理する制御機能と、一対一通信又は多対多通信のために開設されたＰｏＣセッションにＰｏＣクライアントの参加を管理するための参加機能を遂行する。ＰｏＣサービスシステムの構造では、多対多セッションの開設のためには参加しようとするＰｏＣ参加グループとリストに対する管理が必要である。したがって、ＧＬＭＳ５０はＰｏＣ参加グループ及びリストを提供し、グループ管理(Ｇｒｏｕｐ  ｍａｎａｇｅｍｅｎｔ/ａｄｍｉｎｉｓｔｒａｔｉｏｎ)部４０は、このグループ及びリストの管理を遂行する。
【０００７】
プレゼンスサーバ７０は、ＰｏＣサービスを提供しようとする個人又はグループの存在可否の情報を提供管理する。遠隔ＰｏＣネットワーク８０は、通信時に他のユーザーとの接続のためにＳＩＰ/ＩＰコアネットワークとＰｏＣサーバを示す。
【０００８】
図２は、上述したようなＰｏＣサービスシステムで複数のＰｏＣセッションを開設する手順を示すフローチャートである。図２では、クライアントの参加を管理し、特定セッショングループとのＰｏＣセッションを開設する特定参加(ｐａｒｔｉｃｉｐａｔｉｎｇ)ＰｏＣサーバＢ１２０に接続された特定ＰｏＣクライアントとしてＰｏＣクライアントＢ１４０を示す。
【０００９】
多重セッションを要求するＰｏＣクライアントＢ１４０は、自分が属するネットワーク参加ＰｏＣサーバＢ１２０の参加ＰｏＣ機能部を用いて複数のＰｏＣセッションに参加する。複数のセッションに対するトークバースト(ｔａｌｋ  ｂｕｒｓｔ)制御メッセージは、各セッション内のフロアー(ｆｌｏｏｒ)状態のアイドル(ｉｄｌｅ)又は取得状態に関する情報を含む。ここで、参加ＰｏＣサーバＢ１２０に接続されたＰｏＣサーバ(制御ＰｏＣサーバＸ１  １００、制御ＰｏＣサーバＸ２  １１０、制御ＰｏＣサーバＸ３  １３０）は、各開設されたグループ又は個人ＰｏＣセッションを制御する機能を遂行し、各セッション内の他のユーザーと参加ＰｏＣ機能を用いてセッションを開設する。
【００１０】
図２を参照すると、ＰｏＣクライアントＢ１４０は、ステップ１５０，１５２，１５４で各々参加したセッションの制御ＰｏＣサーバ１００，１１０，１３０とＳＩＰ/ＩＰコアネットワークを通じて開設されたセッションから音声ストリームのようなメディアデータを同時に受信する。参加ＰｏＣサーバＢ１２０は、ステップ１５６で、多重セッションを通じて入力されるメディアデータをフィルタリングして選別的にＰｏＣクライアントＢ１４０に伝送する。このとき、ＰｏＣクライアントＢ１４０を管理する参加ＰｏＣサーバＢ１２０のフィルタリングを通じて、ＰｏＣクライアントＢ１４０の要求により活性(ａｃｔｉｖｅｌｙ)参加ＰｏＣセッションと非活性(ｎｏｎ-ａｃｔｉｖｅｌｙ)参加ＰｏＣセッションを区分し、活性参加ＰｏＣセッションで音声ストリームのようなメディアパケットをＰｏＣクライアントＢに伝送する。その後、従来の技術により、多重ＰｏＣセッションが実現されるときに、サブ参加セッションが選択され、ＰｏＣユーザーの要求により、セッション優先順位と選択されたセッションに対するロッキング(ｌｏｃｋｉｎｇ)信号とを参加ＰｏＣ管理部に伝送するようにメディアデータが先に占有されている。
【００１１】
しかしながら、従来の多重ＰｏＣセッション技術において、メディア信号が各々のセッションから同時に受信される場合に、ＰｏＣユーザーの要求により多重セッションのうちのメイン参加セッションとサブ参加セッションに対する管理機能、セッション切り替え機能、及びセッションモニタリング機能が与えられる。このとき、ＰｏＣクライアントは、自分が属する参加ＰｏＣサーバのフィルタリングを通じて望ましくないセッションのパケットストリームを遮断し、ＰｏＣクライアントと参加ＰｏＣサーバとの間に割り当てられるメディアを通じて一つの通話のみを受信する。
【００１２】
一例として、図２に示すように、ＰｏＣクライアントＢ１４０に開設された３個のセッションの中で制御ＰｏＣサーバＸ１  １００からのパケットのみを受信する場合に、参加ＰｏＣサーバによってフィルタリングされた他のセッションを通じた通信データは、ユーザーによって受信することができないという問題点があった。従来技術で、ユーザーがサブ参加セッションで活性化され、トークバーストがメイン参加セッションのメディアチャンネルを通じて開始されると、トークバースト受信チャンネルは、メイン参加セッションのトークバースト受信チャンネルにすぐ変更されてしまう。それによって、参加サブチャンネルの情報が損失される可能性がある。
【００１３】
このような短所を補完するために、従来技術は、ＰｏＣクライアントの要求により選択的にサブ参加セッションのデータを格納可能なテキスト、音声信号、又は文字信号に変換してクライアントに伝送する方法を有する。しかしながら、リアルタイムでサブ参加セッションのデータがテキストメッセージに変換される場合に、ＴＴＳ(Ｔｅｘｔ-Ｔｏ-Ｓｐｅｅｃｈ)アルゴリズムにより時間の遅延だけでなく、変換時の誤りが発生するという短所を有する。なお、視覚/聴覚情報の変換時に、瞬間的な文字ストリームを見逃した場合に、そのストリームの再確認が難しくて回復が不可能であるという問題点があった。
【発明の開示】
【発明が解決しようとする課題】
【００１４】
したがって、上記したような従来技術の問題点を解決するために、本発明の目的は、多重ＰｏＣセッションに接続されたＰｏＣクライアントがメイン参加セッションよりサブ参加セッションに対してモニタリングすることができるシステム及び方法を提供することにある。
【００１５】
また、本発明の目的は、多重ＰｏＣセッションに接続されたＰｏＣクライアントがメイン参加セッションよりサブ参加セッションの通信データを再使用して多様なサービスを受信することができるようにするシステム及び方法を提供することにある。
【課題を解決するための手段】
【００１６】
上記のような目的を達成するために、本発明は、多重セッションをモニタリングするＰｏＣ(Ｐｕｓｈ  ｔｏ  ｔａｌｋ  ｏｖｅｒ  Ｃｅｌｌｕｌａｒ)サービスシステムであって、多重セッションの中で、サブ参加セッションメディアデータの格納を要求するＰｏＣクライアントと、前記サブ参加セッションのメディアデータを格納する格納部と、前記ＰｏＣクライアントの読み出し要求により、前記格納部に格納された前記サブ参加セッションのメディアデータを前記ＰｏＣクライアントに伝送するＰｏＣサーバと、を含むことを特徴とする。
【００１７】
また、本発明は、ＰｏＣシステムの多重セッションをモニタリングする方法であって、ＰｏＣクライアントがＰｏＣサーバにメイン参加セッションを要求するステップと、ＰｏＣサーバがサブ参加セッションのデータを格納するステップと、前記ＰｏＣクライアントが前記格納されたデータの読み出しを要求するステップと、前記ＰｏＣサーバが、格納されたサブ参加セッションのデータを読み出して前記ＰｏＣクライアントに伝送するステップと、を有することを特徴とする。
【００１８】
本発明は、多重セッションをモニタリングするＰｏＣクライアントであって、サブ参加セッションのデータを保存するようにＰｏＣサーバに要求し、前記ＰｏＣサーバに前記サブ参加セッションのデータ伝送を要求し、前記データを受信することを特徴とする。
【００１９】
さらに、本発明は、ＰｏＣシステムのＰｏＣクライアントが多重セッションをモニタリングする方法であって、ＰｏＣクライアントがサブ参加セッションのデータを格納するようにＰｏＣサーバに要求するステップと、前記ＰｏＣサーバに前記サブ参加セッションのデータを伝送するように要求するステップと、前記ＰｏＣサーバが前記格納されたサブ参加セッションのデータを活性化して前記ＰｏＣクライアントに伝送するステップと、を有することを特徴とする。
【発明の効果】
【００２０】
本発明は、次のような効果を有する。
第１に、メイン参加セッション以外に他のセッションをモニタリングするときに、他のＰｏＣグループセッションのフロアー状態だけでなくＰｏＣ呼の具体的なデータまで把握可能である。
【００２１】
第２に、多重セッションに接続されたＰｏＣクライアントが重要なサブ参加セッション又は関心のあるサブ参加セッションから伝送されたトークバーストデータを格納することによって、環境に拘らずＰｏＣセッションのデータを検出することができる。
【００２２】
第３に、ユーザーの優先順位とフロアーアイドル状態によってメイン参加セッションとサブ参加セッションが相互に切り替えるときに、上記の技術を用いてＰｏＣチャンネルで効率的なメディア管理が可能である。
【００２３】
第４に、メディアデータがサブ参加セッションのデータをモニタリングするために文字を含む他の媒体のデータタイプに変換される場合に、発生しうる誤りを除去することができる。
【発明を実施するための最良の形態】
【００２４】
以下、本発明の望ましい実施形態を添付の図面を参照して詳細に説明する。
【００２５】
下記の図面において、同一の構成要素に対して、できるだけ同一の参照番号及び参照符号を付して説明する。本発明に関連した公知機能又は構成に関する具体的な説明が本発明の要旨を不明にすると判断された場合に、その詳細な説明を省略する。
【００２６】
本発明は、複数のセッションに同時に参加しているＰｏＣクライアントが音声チャンネルのようにメインメディアチャンネルを通じて選択されたセッションのデータを受信するときに、ＰｏＣクライアントは、ＳＩＰ/ＩＰコアネットワークを通じて接続された他のセッションで進行される内容をモニタリングし、ユーザーの要求により記録して主に参加していないサブセッションのデータを非実時間で再生及び確認する技術を提案する。
【００２７】
下記に、上述した本発明による多重ＰｏＣセッションのサブ参加セッションに対するモニタリングのためのシステムの構成を、図３を参照して説明する。
【００２８】
図３を参照すると、複数のＰｏＣサーバ１、ＰｏＣサーバ２、ＰｏＣサーバ３によって各々制御される多重ＰｏＣセッションは、ユーザーにセッション接続されたＰｏＣセッショングループ２００を形成し、セッションに接続されたＰｏＣクライアント２３０を管理するＰｏＣサーバ２８０内のＰｏＣサーバ管理部(参加ＰｏＣ機能)２１０に接続される。ここで、ユーザーのセッションを管理するサーバは、“ホームＰｏＣサーバ(Ｈｏｍｅ  ＰｏＣ  ｓｅｒｖｅｒ)”と呼ばれる。ＰｏＣサーバ２８０は、固有の機能である制御ＰｏＣ機能と参加ＰｏＣ機能を通じてグループセッションに参加してセッションを制御する機能を遂行する。上記したように、多重セッションフィルタリングとモニタリングに必要な要素は、ユーザーのホームＰｏＣサーバのＰｏＣサーバ管理部２１０を通じて参加セッションを制御するＰｏＣセッショングループ２００に接続される。
【００２９】
ＰｏＣサーバ２８０のＰｏＣサーバ管理部２１０は、ユーザー要求情報により伝送されたパケットをフィルタリングし、選択されたパケットストリームのみを３ＧＰＰのＩＭＳコアネットワークのようなＳＩＰ/ＩＰコアネットワーク２２０を通じてＰｏＣクライアント２３０に伝送する。
【００３０】
多重セッションでトークバーストが存在する場合に、ＰｏＣサーバ２８０は、複数のトークバーストセッション及びトークバーストデータに対する維持及び管理のためにマルチセッションデータ管理部(ｍｕｌｔｉ-ｓｅｓｓｉｏｎ  ｄａｔａ  ｍａｎａｇｅｍｅｎｔ)２７０とトークバーストデータを格納するためのメモリ２６０を含む。
【００３１】
マルチセッションデータ管理部２７０は、ＰｏＣサーバ管理部２１０でフィルタリングされるサブ参加セッションのメディアデータを識別してメモリ２６０に伝送する。また、ＰｏＣクライアントの要求により、ＰｏＣサーバ管理部２１０が呼び出す場合に、マルチセッションデータ管理部２７０は、格納された特定セッションのトークバーストデータをメモリから検出してＰｏＣサーバ管理部２１０に伝送する。このマルチセッションデータ管理部２７０は、メディアストリームを圧縮してメモリ２６０に伝送することが可能である。
【００３２】
メモリ２６０は、マルチセッションデータ管理部２７０の制御によりサブ参加セッションのトークバーストデータを各ＰｏＣセッション識別子やフロアーホルダー識別子とマッチングして格納する。メモリ２６０は、メイン参加セッショングループを除いたサブ参加セッショングループのバーストデータをＰｏＣクライアントの要求により選別的に格納する。ここで、メモリに格納されたサブ参加セッショングループのバーストデータは、メイン参加セッショントークバーストの伝送後にユーザーに伝送される。また、ユーザーは、メイン参加セッションの終了後に格納されたトークバーストデータを受信することが可能である。他の方法で、ユーザーは、すべての多重セッションの終了後に格納されたバーストデータを受信することが可能である。
【００３３】
マルチセッションデータ管理部２７０とメモリ２６０は、ＰｏＣサーバ２８０に内蔵される形態で構成可能である。或いは、マルチセッションデータ管理部２７０は、ＰｏＣサーバ管理部２１０と接続される別途の外部装置でも構成可能である。
【００３４】
ＰｏＣクライアント２３０は、ＰｏＣサーバ２８０から伝送されるメディアデータを音声又は文字に変換させる音声出力部２４０又は文字出力部２５０に出力する。また、メイン参加セッショングループを除いたサブ参加セッショングループのバーストデータは、ＰｏＣクライアントの要求により選択的にＰｏＣクライアントに伝送され、ＰｏＣクライアントのメモリ２９０に格納可能である。ここで、ＰｏＣクライアントは、メイン参加セッションのトークバーストが終了した後に、メモリ２９０に格納されたトークバーストデータを再生することが可能である。場合によって、ユーザーは、ＰｏＣクライアントがメイン参加セッションを終了した後に、トークバーストの内容を再生することが可能である。他の方法で、ユーザーが、すべての多重セッションを終了した後にトークバーストの内容を再生することが可能である。
【００３５】
ＰｏＣクライアント２３０は、少なくとも一つ以上のサブ参加セッションのトークバーストデータの格納を要求し、その要求により、ＰｏＣサーバ２８０は、フィルタリングされた複数のメディアデータと、それぞれのメディアデータに対応するセッション識別子及びフロアーホルダー識別子をメモリ２６０に格納することが可能である。また、ＰｏＣクライアント２３０は、再生要求時に識別子を用いてメディアデータを再生することが可能である。
【００３６】
音声出力部２４０、文字出力部２５０、及びメモリ２９０は、ＰｏＣフォンのようにＰｏＣクライアントを有する移動端末装置に共に内蔵して構成可能であり、或いは、各々他の別途の装置で構成されて接続手段を通じて移動端末装置に接続して構成可能である。
【００３７】
上記のような２つの形態の場合に、サブ参加セッションのメディアデータを格納する概念は同一である。しかしながら、ＰｏＣクライアントとメモリが一つの端末に内蔵される場合に、ＰｏＣクライアントはＰｏＣサーバからメイン参加セッションに加えて他のセッションのメディアデータも同時に受信する場合もあるため、移動通信接続網の負荷が減少する。
【００３８】
下記に、図４を参照して、本発明の望ましい実施形態による多重ＰｏＣセッションのモニタリングのための方法を説明する。
【００３９】
図４は、メモリがＰｏＣサーバと連動され、多重セッションの中でメイン参加セッションが終了しない場合に、メイン参加セッションのメディアデータを一時中断(ｈｏｌｄ)させ、一つのサブ参加セッションから受信されたパケットが格納され、ＰｏＣクライアントの要求により再生される方法を示すフローチャートである。
【００４０】
図４で、多重セッションに参加しようとするＰｏＣクライアントＢ３１２は、ステップ３２０で、多重セッションセットアップを通じて複数のＰｏＣグループセッションのＰｏＣサーバ３００，３０２，３０４とＳＩＰ/ＩＰ基盤通信を初期化する。ＰｏＣクライアントＢ３１２は、ステップ３２２で、参加しようとするセッションを要求するためにセッションフィルタリング要求メッセージをＰｏＣサーバＢ３０６に伝送する。すると、ＰｏＣサーバＢ３０６は、ステップ３２４で、メイン参加セッションが選択情報をステップ３２２の応答でＰｏＣクライアントＢ３１２に伝送する。このとき、ＰｏＣサーバ３００，３０２，３０４がステップ３２０で開設されたセッションを通じてステップ３２６，３２８，３３０でそれぞれのトークバーストを伝送すると、ＰｏＣサーバＢ３０６は、ステップ３３２で、参加ＰｏＣ機能部を通じてＰｏＣクライアントによって要求されたグループセッション以外の伝送パケットをフィルタリングする。その後、ＰｏＣサーバＢ３０６は、ステップ３３４で、ＰｏＣクライアントが要求した一つのセッションのみをＰｏＣクライアント３１２に伝送する。
【００４１】
ＰｏＣクライアントＢ３１２は、メイン参加セッションのデータを除いてサブ参加セッションのデータを検出しようとする場合に、ステップ３３６で、参加のためのセッション識別子を含む第２のセッション要求メッセージをＰｏＣサーバＢ３０６に伝送する。このとき、ＰｏＣサーバＢ３０６は、ＰｏＣクライアントＢ３１２によって選択されたＰｏＣセッションのトークバーストデータをステップ３３８で、ＰｏＣサーバ内のマルチセッションデータ管理部３０８に伝送する。すると、マルチセッションデータ管理部３０８は、ステップ３４０で、効率的な格納のために受信されたＰｏＣセッションのトークバーストデータをメディアデータに圧縮する。その後、マルチセッションデータ管理部３０８は、ステップ３４２で、圧縮されたＰｏＣセッションのトークバーストデータをＰｏＣサーバに接続された格納部３１０に伝送する。格納部３１０は、ステップ３４４で、圧縮されたＰｏＣセッションのトークバーストデータをセッション識別子及び各セッションフロアーホルダー識別子と共に格納する。
【００４２】
メイン参加セッションとサブ参加セッションの用途がユーザーの要求により変更される場合に、ＰｏＣクライアントＢ３１２は、ステップ３４６で、ＰｏＣサーバＢ３０６に現在メイン参加セッションの非活性トークバーストを要求する。ＰｏＣサーバＢ３０６は、ステップ３４８で、メイン参加セッションのメディアを非活性化させ、ステップ３５０で、その非活性の結果としてＰｏＣクライアントに応答する。
【００４３】
メイン参加セッションの非活性化が確認されると、ＰｏＣクライアントＢ３１２は、ステップ３５２で、ＰｏＣサーバＢ３０６に格納されたセッションのトークバーストデータの再生を要求する。すると、ＰｏＣサーバＢ３０６は、ステップ３５４で、クライアントによって要求されたトークバーストデータをマルチセッションデータ管理部３０８に伝送する。マルチセッションデータ管理部３０８は、ステップ３５６及び３５８で、セッション識別子とセッション別フロアーホルダー識別子に基づいて格納されたメディアデータを検出する。マルチセッションデータ管理部３０８は、ステップ３６０で、検出されたメディアデータの圧縮を解除し、ステップ３６２で、圧縮解除されたデータをＰｏＣサーバＢ３６２に伝送する。すると、ＰｏＣサーバＢ３０６は、ステップ３６４で、データをＰｏＣクライアントＢ３１２に伝送する。
【００４４】
他の実施形態により、ステップ３２２で、セッションフィルタリングが要求されるときに、ＰｏＣクライアントＢ３１２は、メイン参加セッションと格納しようとするサブ参加セッションとの両データを要求する。このとき、ＰｏＣサーバＢは、一つのメイン参加セッションのデータを、メディアを通じてＰｏＣクライアントＢに伝送する。また、ＰｏＣサーバＢは、サブ参加セッションの伝送データをサーバ内のマルチセッションデータ管理部３０８に伝送して格納する手順を遂行する。
【００４５】
また他の実施形態により、他のセッションの格納されたメディアデータが伝送される時点が、図４とは異なり、メイン参加セッションが終了した時点に限ることができる。
【００４６】
さらに、他の実施形態により、また他のセッションの格納されたメディアデータが伝送される時点が、すべての多重セッションが終了した時点に限ることもできる。
【図面の簡単な説明】
【００４７】
【図１】従来技術によるＰｏＣシステムを示すブロック構成図である。
【図２】図１に示すＰｏＣシステムの動作を示すフローチャートである。
【図３】本発明の望ましい実施形態による多重セッションのモニタリングのためのシステムを示すブロック構成図である。
【図４】本発明の望ましい実施形態による多重セッションのモニタリングのための方法を示すフローチャートである。
【符号の説明】
【００４８】
１０  ＰｏＣクライアント
２０  無線接続網
３０  ＳＩＰ/ＩＰコアネットワーク
４０  グループ管理部
５０  グループリスト及び管理システム
【図１】
2007533247.tif 000003
【図２】
2007533247.tif 000004
【図３】
2007533247.tif 000005
【図４】
2007533247.tif 000006
【国際調査報告】
2007533247.tif 000007
2007533247.tif 000008